(57)【要約】【課題】渦巻状のコイルエンド部を形成する場合に、コイルエンド部における異相コイル間の最大電位差を小さく抑えることが可能な回転電機用コイルを実現する。【解決手段】接続端子９０に接続可能なコイル辺部が配置される対象スロット１２ａに巻回される同心巻部である対象同心巻部４０ａは、同相の他の対象同心巻部４０ａとの周方向Ｃの間に、対象同心巻部４０ａではない同相の同心巻部を含まないように配置される。複数相の対象スロット１２ａの配置パターンは、当該複数相の対象スロット１２ａの周方向Ｃにおける相の並び順が複数相のスロット１２の周方向Ｃにおける相の並び順と等しくなる複数の配置パターンの中で、周方向Ｃに隣接する互いに異なる相の対象同心巻部４０ａの周方向Ｃの間隔の分散が最も小さくなるパターンに設定されている。【選択図】図３
2015177725.tif 000002
【特許請求の範囲】
【請求項１】
円筒状のコア基準面の周方向に沿って各相用のスロットが同数ずつ繰り返し形成されたコアに巻装されると共に、前記周方向に分散配置されたＮ個（Ｎは４の正の倍数を表す）の同心巻部を備えた複数相の相コイルが、スター結線されて構成される回転電機用コイルであって、
前記同心巻部は、前記スロット内に配置されるコイル辺部と、一対の前記コイル辺部を前記コア基準面の軸方向における前記コアの外側において接続する渡り部とを備え、
前記渡り部は、前記周方向の一方側において前記周方向の同じ位置にある他相の前記渡り部に対して前記コア基準面の径方向の内側に配置されると共に、前記周方向の他方側において前記周方向の同じ位置にある他相の前記渡り部に対して前記径方向の外側に配置され、
前記相コイルのそれぞれは、複数の前記同心巻部を互いに直列接続して構成されると共に一端が中性点に接続され他端が接続端子に接続される直列コイル部を、単数又は複数備え、
前記直列コイル部が配置される複数の前記スロットのうちの最も前記接続端子側の前記コイル辺部が配置される前記スロットである対象スロットは、前記接続端子に接続可能な前記コイル辺部が配置される複数の前記スロットの中から設定され、
前記対象スロットに巻回される前記同心巻部である対象同心巻部は、同相の他の前記対象同心巻部との前記周方向の間に、前記対象同心巻部ではない同相の前記同心巻部を含まないように配置され、
複数相の前記対象スロットの配置パターンは、当該複数相の対象スロットの前記周方向における相の並び順が複数相の前記スロットの前記周方向における相の並び順と等しくなる複数の配置パターンの中で、前記周方向に隣接する互いに異なる相の前記対象同心巻部の前記周方向の間隔の分散が最も小さくなるパターンに設定されている回転電機用コイル。
【請求項２】
前記直列コイル部のそれぞれは、連続する線状導体を複数箇所で巻回して形成された複数の前記同心巻部を有するコイルユニットを、複数直列接続して構成され、
前記周方向の同じ領域に配置される複数相の前記コイルユニットが、前記コアに配置される際の配置単位、又は、前記コアに配置する前の準備としてコイル保持器に配置される際の配置単位であり、
前記コイルユニットが備える複数の前記コイル辺部のうちの最も当該コイルユニットの端部側に配置される２つの前記コイル辺部のそれぞれが、前記接続端子に接続可能な前記コイル辺部である請求項１に記載の回転電機用コイル。
【発明の詳細な説明】
【技術分野】
【０００１】
本発明は、周方向に沿って各相用のスロットが同数ずつ繰り返し形成されたコアに巻装されると共に、周方向に分散配置されたＮ個（Ｎは４の正の倍数を表す）の同心巻部を備えた複数相の相コイルが、スター結線されて構成される回転電機用コイルに関する。
【背景技術】
【０００２】
上記のような回転電機用コイルとして、特開２００９−２７８８４５号公報（特許文献１）に記載されたものが知られている。特許文献１には、コイルエンド部において隣接する異相コイル間における最大電位差を小さく抑えるべく、周方向に隣接する互いに異なる相の第１コイルの周方向の間隔を、全て１２０度に設定する技術が記載されている。なお、第１コイルは、動力線（リード線）に接続される同心巻部である。
【先行技術文献】
【特許文献】
【０００３】
【特許文献１】特開２００９−２７８８４５号公報（図１等）
【発明の概要】
【発明が解決しようとする課題】
【０００４】
ところで、コイルエンド部を形成する渡り部の形状を、周方向の一方側において周方向の同じ位置にある他相の渡り部に対して径方向の内側に配置されると共に、周方向の他方側において周方向の同じ位置にある他相の渡り部に対して径方向の外側に配置されるような形状とする技術が知られている。この場合、コイルエンド部の軸方向視での形状を渦巻状とすることで、コイルエンド部の小型化を図ることができる。このような渦巻状のコイルエンド部を形成する場合には、一般的に、複数相の相コイルをまとめてコアに巻装する必要がある。そのため、特許文献１のように各相の渡り部が相毎に設定された径方向の領域に分かれて配置される場合に比べて、渦巻状のコイルエンド部を形成する場合には第１コイルの周方向の配設位置についての製造上の制約が多くなりやすく、周方向に隣接する互いに異なる相の第１コイルの周方向の間隔を全て１２０度に設定することは現実的ではない場合がある。しかしながら、特許文献１では、この点について特段の認識がなされていなかった。
【０００５】
そこで、渦巻状のコイルエンド部を形成する場合に、コイルエンド部における異相コイル間の最大電位差を小さく抑えることが可能な回転電機用コイルの実現が望まれる。
【課題を解決するための手段】
【０００６】
本発明に係る、円筒状のコア基準面の周方向に沿って各相用のスロットが同数ずつ繰り返し形成されたコアに巻装されると共に、前記周方向に分散配置されたＮ個（Ｎは４の正の倍数を表す）の同心巻部を備えた複数相の相コイルが、スター結線されて構成される回転電機用コイルの特徴構成は、前記同心巻部は、前記スロット内に配置されるコイル辺部と、一対の前記コイル辺部を前記コア基準面の軸方向における前記コアの外側において接続する渡り部とを備え、前記渡り部は、前記周方向の一方側において前記周方向の同じ位置にある他相の前記渡り部に対して前記コア基準面の径方向の内側に配置されると共に、前記周方向の他方側において前記周方向の同じ位置にある他相の前記渡り部に対して前記径方向の外側に配置され、前記相コイルのそれぞれは、複数の前記同心巻部を互いに直列接続して構成されると共に一端が中性点に接続され他端が接続端子に接続される直列コイル部を、単数又は複数備え、前記直列コイル部が配置される複数の前記スロットのうちの最も前記接続端子側の前記コイル辺部が配置される前記スロットである対象スロットは、前記接続端子に接続可能な前記コイル辺部が配置される複数の前記スロットの中から設定され、前記対象スロットに巻回される前記同心巻部である対象同心巻部は、同相の他の前記対象同心巻部との前記周方向の間に、前記対象同心巻部ではない同相の前記同心巻部を含まないように配置され、複数相の前記対象スロットの配置パターンは、当該複数相の対象スロットの前記周方向における相の並び順が複数相の前記スロットの前記周方向における相の並び順と等しくなる複数の配置パターンの中で、前記周方向に隣接する互いに異なる相の前記対象同心巻部の前記周方向の間隔の分散が最も小さくなるパターンに設定されている点にある。
【０００７】
上記の特徴構成によれば、複数相の対象スロットの配置パターンが、当該複数相の対象スロットの周方向における相の並び順が複数相のスロットの周方向における相の並び順と等しくなる複数の配置パターンの中で、周方向に隣接する互いに異なる相の対象同心巻部の周方向の間隔の分散が最も小さくなるパターンに設定されるため、周方向に隣接する互いに異なる相の対象同心巻部の周方向の間隔の全てを大きく確保することが可能となる。よって、直列コイル部における最も接続端子側の同心巻部である対象同心巻部に対して周方向の配置領域が重複する他相の同心巻部を、直列コイル部における中性点に近い側の同心巻部とすることができ、互いに異なる２つの相コイル同士がコイルエンド部において接触或いは近接して配置される部分における当該相コイル同士の最大電位差を小さく抑えることができる。この結果、渦巻状のコイルエンド部を形成する場合に、コイルエンド部における異相コイル間の最大電位差を小さく抑えることが可能な回転電機用コイルを実現することができる。
なお、上記の特徴構成によれば、コイルエンド部における異相コイル間の最大電位差を小さく抑えることができるため、例えば、相間絶縁部材に要求される絶縁性能を低下させることや、相間絶縁部材を備えることなしに線状導体を構成する導体線の表面に形成された絶縁皮膜のみで各相の相コイル間の電気的絶縁性を確保することが可能となり、回転電機の製造コストの低減やコイルエンド部の小型化を図ることが可能となる。
【０００８】
ここで、前記直列コイル部のそれぞれは、連続する線状導体を複数箇所で巻回して形成された複数の前記同心巻部を有するコイルユニットを、複数直列接続して構成され、前記周方向の同じ領域に配置される複数相の前記コイルユニットが、前記コアに配置される際の配置単位、又は、前記コアに配置する前の準備としてコイル保持器に配置される際の配置単位であり、前記コイルユニットが備える複数の前記コイル辺部のうちの最も当該コイルユニットの端部側に配置される２つの前記コイル辺部のそれぞれが、前記接続端子に接続可能な前記コイル辺部であると好適である。
【０００９】
この構成によれば、接続端子に接続可能なコイル辺部が特定のコイル辺部に限定されるが、このような場合でも、上記のように、複数相の対象スロットの配置パターンを、当該複数相の対象スロットの周方向における相の並び順が複数相のスロットの周方向における相の並び順と等しくなる複数の配置パターンの中で、周方向に隣接する互いに異なる相の対象同心巻部の周方向の間隔の分散が最も小さくなるパターンに設定することで、コイルエンド部における異相コイル間の最大電位差を小さく抑えることができる。また、上記の構成によれば、コイルユニットにおける同心巻部同士を接続する接続導線を切断することなく、相コイルのそれぞれを接続端子に接続することができるため、回転電機の製造工程の簡素化を図ることもできる。
【図面の簡単な説明】
【００１０】
【図１】本発明の実施形態に係るステータの斜視図である。
【図２】本発明の実施形態に係るコイルの結線図である。
【図３】本発明の実施形態に係るステータの軸方向から見た模式図である。
【図４】本発明の実施形態に係るコイルユニット群の配置状態を示す模式図である。
【図５】本発明の実施形態に係るコイルユニットを示す図である。
【図６】本発明の実施形態に係るコイル保持器の概略構成図である。
【図７】比較例に係るコイルユニット群の配置状態を示す模式図である。
【図８】本発明のその他の実施形態に係るステータの軸方向から見た模式図である。
【図９】本発明のその他の実施形態に係るステータの軸方向から見た模式図である。
【発明を実施するための形態】
【００１１】
本発明に係る回転電機用コイルの実施形態について、図面を参照して説明する。ここでは、本発明に係る回転電機用コイルを、図１に示すように、回転電機用のステータ１０のコア１１（ステータコア）に巻装されるコイル１に適用した場合を例として説明する。なお、「回転電機」は、モータ（電動機）、ジェネレータ（発電機）、及び必要に応じてモータ及びジェネレータの双方の機能を果たすモータ・ジェネレータのいずれをも含む概念として用いている。
【００１２】
以下の説明では、特に区別して明記している場合を除き、「軸方向Ｌ」、「周方向Ｃ」、及び「径方向Ｒ」は、円筒状のコア基準面Ｓを基準として、言い換えれば、コア基準面Ｓの軸心Ａを基準として定義している（図１及び図３参照）。「軸第一方向Ｌ１」は、軸方向Ｌにおける一方側へ向かう方向を表し、「軸第二方向Ｌ２」は、軸方向Ｌにおける他方側へ向かう方向（軸第一方向Ｌ１とは反対方向）を表す。「周第一方向Ｃ１」は、周方向Ｃにおける一方側へ向かう方向を表し、「周第二方向Ｃ２」は、周方向Ｃにおける他方側へ向かう方向（周第一方向Ｃ１とは反対方向）を表す。図１に示すように、本実施形態では、軸第一方向Ｌ１側から軸方向Ｌに沿って見た場合の時計回り方向を、周第一方向Ｃ１に設定している。また、本明細書では、寸法、配置方向、配置位置等に関する用語（例えば、平行や直交等）は、誤差（製造上許容され得る程度の誤差）による差異を有する状態も含む概念として用いている。
【００１３】
１．ステータの全体構成
ステータ１０は、回転電機用のステータであり、図１に示すように、コア１１と、コア１１に巻装されるコイル１とを備えている。図１では、簡略化のためコイル１の一部のみを示している。コア１１は、磁性材料を用いて形成される。例えば、複数枚の磁性体板（例えば、ケイ素鋼板等の電磁鋼板）を積層してコア１１が形成され、或いは、磁性材料の粉体を加圧成形してなる圧粉材を主な構成要素としてコア１１が形成される。ステータ１０は、回転界磁型の回転電機用のステータであり、電機子として機能する。ステータ１０から発生する磁界により、永久磁石や電磁石等を備えた界磁としてのロータ（図示せず）が回転する。ロータは、コア１１に対して径方向Ｒの内側に配置される。
【００１４】
コア１１は、周方向Ｃに分散配置された複数のスロット１２を有する。複数のスロット１２は、周方向Ｃに沿って一定間隔で配置されている。スロット１２のそれぞれは、軸方向Ｌ及び径方向Ｒに延びるように形成されている。本実施形態では、スロット１２のそれぞれは、軸方向Ｌの両側に開口部を有すると共に、径方向Ｒの内側に開口部を有する。周方向Ｃに隣接するスロット１２の間にはティース１３が形成され、複数のティース１３のそれぞれの径方向Ｒの内側の端面を含む円筒状の仮想面により、コア１１の内周面が形成される。本実施形態では、コア１１の内周面をコア基準面Ｓとしている。コア１１の径方向Ｒの外側の面（外周面）等をコア基準面Ｓとしても良い。
【００１５】
コイル１は複数相のコイルであり、コア１１には周方向Ｃに沿って各相用のスロット１２が同数ずつ繰り返し形成されている。本実施形態では、コイル１は、三相コイルであり、Ｕ相コイル２Ｕ、Ｖ相コイル２Ｖ、及びＷ相コイル２Ｗの３つの相コイル２を備えている。これに対応して、コア１１には、Ｕ相用、Ｖ相用、及びＷ相用のスロット１２が、周方向Ｃに沿って同数ずつ繰り返し形成されている。本実施形態では、周方向Ｃに沿って繰り返し形成される複数相のスロット１２の周方向Ｃにおける相の並び順は、Ｕ相を起点とすると、周第一方向Ｃ１側に向かって、Ｕ相、Ｖ相、Ｗ相の順である。本実施形態では、毎極毎相あたりのスロット数が“２”であり、コア１１には、各相用のスロット１２が周方向Ｃに沿って２つずつ繰り返し現れるように配置されている。また、本実施形態では、毎相あたりの磁極数が“１６”（磁極対数が“８”）であり、コア１１には合計で９６（＝２×１６×３）個のスロット１２が配置されている。
【００１６】
２．コイルの構成
次に、本発明の要部であるコイル１の構成について説明する。コイル１は線状の導体である線状導体３（図５参照）を用いて構成されている。線状導体３は、銅やアルミニウム等の導電性を有する材料により構成される。線状導体３は、１本の導体線により構成され、或いは複数本の導体線の束により構成される。このような導体線として、例えば、延在方向に直交する断面の形状が円形状の導体線を用いることができる。導体線の表面には、樹脂等の電気的絶縁性を有する材料からなる絶縁皮膜が形成されている。
【００１７】
図２に示すように、コイル１は、複数相の相コイル２（本例では、Ｕ相コイル２Ｕ、Ｖ相コイル２Ｖ、及びＷ相コイル２Ｗ）がスター結線されて構成されている。すなわち、相コイル２のそれぞれの一端部は、各相毎に設定された接続端子９０に接続され、相コイル２のそれぞれの他端部は、中性点９１にて互いに接続されている。接続端子９０は、ステータ１０との間で電力の授受を行う装置（例えば、インバータ等）に対してコイル１を接続するための端子である。すなわち、接続端子９０には、リード線（動力線）が接続される。回転電機の力行時には、接続端子９０に対して当該装置側から電力が入力される。本実施形態では、接続端子９０として、三相のそれぞれに対応するＵ相接続端子９０Ｕ、Ｖ相接続端子９０Ｖ、及びＷ相接続端子９０Ｗが設けられている。本実施形態では、複数相の接続端子９０のそれぞれが、コア１１に対して軸第一方向Ｌ１側に配置されている。
【００１８】
図２に示すように、相コイル２は、複数の同心巻部４０を備えている。同心巻部４０は、一対又は複数対のスロット１２間に、線状導体３（図５参照）を巻回してなるコイル部（重ね巻部）である。本実施形態では、同心巻部４０は、一対のスロット１２間（本例では、互いにスロットピッチ（スロット１２の配設ピッチ）の５倍だけ離れた一対のスロット１２間）に、線状導体３を複数回巻回して構成されている。同心巻部４０は、スロット１２内に配置されるコイル辺部６０（図１参照）と、一対のコイル辺部６０を軸方向Ｌにおけるコア１１の外側において接続する渡り部６１とを備える。図３や後に参照する図４では、発明の理解を容易にすべく、各相の渡り部６１に対して互いに異なるハッチングを施している。具体的には、Ｗ相コイル２Ｗの渡り部６１及びＵ相コイル２Ｕの渡り部６１のみにハッチングを施すと共に、Ｗ相コイル２Ｗの渡り部６１よりもＵ相コイル２Ｕの渡り部６１に対して濃いハッチングを施している。各相の渡り部６１の集合によって、図１に示すように、コア１１から軸方向Ｌに突出するコイル１の部分であるコイルエンド部６２が形成される。
【００１９】
相コイル２のそれぞれは、複数の同心巻部４０を互いに直列接続して構成される直列コイル部２０を、単数又は複数備える。直列コイル部２０の一端は中性点９１に接続され、直列コイル部２０の他端は接続端子９０に接続される。ここで、直列コイル部２０が備える同心巻部４０の総数をＸとし、直列コイル部２０が備える複数の同心巻部４０を、接続端子９０側から順に第一コイル部、第二コイル部、・・・、第Ｘコイル部とする。本実施形態では、Ｘは“８”であり、直列コイル部２０のそれぞれが、第一コイル部５１、第二コイル部５２、第三コイル部５３、第四コイル部５４、第五コイル部５５、第六コイル部５６、第七コイル部５７、及び第八コイル部５８を備えている。
【００２０】
本実施形態では、相コイル２のそれぞれは、図２に示すように、互いに並列接続される複数の直列コイル部２０を備えている。なお、図２では、Ｖ相コイル２Ｖ及びＷ相コイル２Ｗを簡略化して示しているが、Ｖ相コイル２Ｖ及びＷ相コイル２Ｗのそれぞれも、Ｕ相コイル２Ｕと同様に、互いに並列接続される複数の直列コイル部２０を備えている。本実施形態では、互いに並列接続される直列コイル部２０の数は“４”であり、相コイル２のそれぞれは、第一直列コイル部２１、第二直列コイル部２２、第三直列コイル部２３、及び第四直列コイル部２４の４つの直列コイル部２０を備えている。
【００２１】
本実施形態では、直列コイル部２０は、巻回方向が互いに逆方向の同心巻部４０を１つずつ交互に直列接続して構成されている。なお、２つの同心巻部４０の巻回方向が逆とは、相コイル２を構成する線状導体３の延在方向に沿って（言い換えれば、相コイル２を流れる電流の方向に沿って）相コイル２の一端部から他端部に向かう場合に、一方の同心巻部４０が時計回り方向に巻回され、他方の同心巻部４０が反時計回り方向に巻回されることを意味する。よって、巻回方向が互いに逆方向の同心巻部４０は、コイル１への通電時に、互いに逆向きの磁極を形成する。
【００２２】
図３に示すように、相コイル２のそれぞれは、周方向Ｃに分散配置されたＮ個（Ｎは４の正の倍数を表す）の同心巻部４０を備えている。Ｎは、毎相当たりの磁極数であり、本実施形態では“１６”に設定されている。１つの相コイル２が備えるＮ個の同心巻部４０は、周方向Ｃの配置領域が互いに重複しないように、周方向Ｃに沿って磁極ピッチ毎に配置されている。本実施形態では、磁極ピッチＰは、スロットピッチの６倍である。周方向Ｃに分散配置されたＮ個の同心巻部４０のセットを「コイルセット」とすると、各相のコイルセットは、径方向Ｒの同じ領域において、周方向Ｃに互いにずれた位置関係で配置されている。本実施形態では、相コイル２のそれぞれは、径方向Ｒの互いに異なる領域に配置される複数のコイルセットを備えている。具体的には、相コイル２のそれぞれは、コイル辺部６０がスロット１２の底部側（径方向Ｒの外側）の部分に配置される外側コイルセットと、コイル辺部６０がスロット１２の開口部側（径方向Ｒの内側）の部分に配置される内側コイルセットとの、２つのコイルセットを備えている。後の説明で参照する図４では、相コイル２のそれぞれの外側コイルセットの一部のみを示している。１つの相コイル２が備える外側コイルセットと内側コイルセットとは、径方向Ｒの配置位置を除いて同様に構成されている。
【００２３】
図３に模式的に示すように、渡り部６１は、周方向Ｃの一方側（本例では、周第一方向Ｃ１側）において周方向Ｃの同じ位置にある他相の渡り部６１に対して径方向Ｒの内側に配置されると共に、周方向Ｃの他方側（本例では、周第二方向Ｃ２側）において周方向Ｃの同じ位置にある他相の渡り部６１に対して径方向Ｒの外側に配置される。なお、このような各相の渡り部６１の間の配置関係は、径方向Ｒの同じ領域に配置される各相のコイルセットの間で成立する。すなわち、本実施形態では、相コイル２のそれぞれは、外側コイルセットと内側コイルセットとを備えるため、外側コイルセットの渡り部６１は、周方向Ｃの一方側において周方向Ｃの同じ位置にある他相の外側コイルセットの渡り部６１に対して径方向Ｒの内側に配置されると共に、周方向Ｃの他方側において周方向Ｃの同じ位置にある他相の外側コイルセットの渡り部６１に対して径方向Ｒの外側に配置される。また、内側コイルセットの渡り部６１は、周方向Ｃの一方側において周方向Ｃの同じ位置にある他相の内側コイルセットの渡り部６１に対して径方向Ｒの内側に配置されると共に、周方向Ｃの他方側において周方向Ｃの同じ位置にある他相の内側コイルセットの渡り部６１に対して径方向Ｒの外側に配置される。
【００２４】
各相の渡り部６１が上記のように配置されるため、図３及び図４に模式的に示すように、渡り部６１の軸方向Ｌ視での形状は、周第一方向Ｃ１側へ向かうに従って径方向Ｒの内側へ向かう形状とされる。すなわち、渡り部６１の軸方向Ｌ視での形状は、軸心Ａ側から径方向Ｒの外側へ向かって延びる渦巻線に沿う形状とされ、このような渡り部６１の集合によって、全体として軸方向Ｌ視で渦巻状のコイルエンド部６２が形成される。
【００２５】
次に、Ｕ相コイル２Ｕの構成について、図３を参照して具体的に説明する。なお、図３及び図４では、煩雑さを避けるために、同心巻部４０を表す符号を付してないが、上述したように、第一コイル部５１、第二コイル部５２、第三コイル部５３、第四コイル部５４、第五コイル部５５、第六コイル部５６、第七コイル部５７、及び第八コイル部５８のそれぞれは、同心巻部４０により構成される。図３に示すように、周方向Ｃに隣接して配置される４つの同心巻部４０により、第一コイル部５１、第二コイル部５２、第三コイル部５３、及び第四コイル部５４が構成されると共に、当該４つの同心巻部４０とは周方向Ｃに離間する位置において周方向Ｃに隣接して配置される４つの同心巻部４０により、第五コイル部５５、第六コイル部５６、第七コイル部５７、及び第八コイル部５８が構成されている。これは、Ｕ相コイル２Ｕが備える全ての直列コイル部２０（本例では、第一直列コイル部２１、第二直列コイル部２２、第三直列コイル部２３、及び第四直列コイル部２４）の間で共通の構成である。
【００２６】
具体的には、各直列コイル部２０について、第一コイル部５１、第二コイル部５２、第三コイル部５３、及び第四コイル部５４の周方向Ｃの配置領域と、第五コイル部５５、第六コイル部５６、第七コイル部５７、及び第八コイル部５８の周方向Ｃの配置領域とは、径方向Ｒに互いに対向する（周方向Ｃの位置に関して互いに１８０度異なる）ように設定されている。これにより、ロータがステータ１０に対して同心に配置された状態における基準逆起電圧からの、逆起電圧の変化の大きさや変化の方向が、同相の並列回路を構成する複数の直列コイル部２０の間で不均一になることを、直列コイル部２０を構成する全ての同心巻部４０が周方向Ｃの一部の領域に集中して配置される場合に比べて抑制することができる。なお、直列コイル部２０における逆起電圧は、ロータの回転に伴い発生する。この結果、組み付け誤差等に起因してロータがステータ１０に対して偏心した状態で配置される場合であっても、同相の複数の直列コイル部２０により形成される並列回路における循環電流の発生を抑制することができ、或いは、当該並列回路に循環電流が発生する場合であってもその大きさを低減することができる。
【００２７】
本実施形態では、１つの直列コイル部２０に備えられる複数の同心巻部４０は、電気的な接続順と同じ周方向Ｃの順序でコア１１に配置される。そして、本実施形態では、複数の同心巻部４０のそれぞれが、電気的接続関係において接続端子９０側に隣接する他の同心巻部４０に対して周第一方向Ｃ１側に配置される直列コイル部２０を、第Ｙ直列コイル部（Ｙは奇数を表す）とし、複数の同心巻部４０のそれぞれが、電気的接続関係において接続端子９０側に隣接する他の同心巻部４０に対して周第二方向Ｃ２側に配置される直列コイル部２０を、第Ｚ直列コイル部（Ｚは偶数を表す）としている。
【００２８】
本実施形態では、図３に示すように、第二直列コイル部２２の第一コイル部５１は、第一直列コイル部２１の第一コイル部５１を構成する同心巻部４０に対して、周第二方向Ｃ２側に隣接して配置された同心巻部４０により構成される。すなわち、第一直列コイル部２１及び第二直列コイル部２２のそれぞれの第一コイル部５１は、周方向Ｃに隣接して配置される２つの同心巻部４０により構成される。本実施形態では、同心巻部４０の配置構成に関して、第一直列コイル部２１と第三直列コイル部２３とは、径方向Ｒの配置位置を除いて同様に構成されており、第二直列コイル部２２と第四直列コイル部２４とは、径方向Ｒの配置位置を除いて同様に構成されている。よって、本実施形態では、第四直列コイル部２４の第一コイル部５１は、第三直列コイル部２３の第一コイル部５１を構成する同心巻部４０に対して、周第二方向Ｃ２側に隣接して配置された同心巻部４０により構成される。
【００２９】
本実施形態では、周第一方向Ｃ１側に向かって順に設定される第一領域、第二領域、第三領域、及び第四領域によって、周方向Ｃの一周分の領域が形成されている。ここで、第一領域は、第一直列コイル部２１及び第三直列コイル部２３のそれぞれの第一コイル部５１、第二コイル部５２、第三コイル部５３、及び第四コイル部５４が配置される領域である。第二領域は、第二直列コイル部２２及び第四直列コイル部２４のそれぞれの第五コイル部５５、第六コイル部５６、第七コイル部５７、及び第八コイル部５８が配置される領域である。第三領域は、第一直列コイル部２１及び第三直列コイル部２３のそれぞれの第五コイル部５５、第六コイル部５６、第七コイル部５７、及び第八コイル部５８が配置される領域である。第四領域は、第二直列コイル部２２及び第四直列コイル部２４のそれぞれの第一コイル部５１、第二コイル部５２、第三コイル部５３、及び第四コイル部５４が配置される領域である。
【００３０】
また、本実施形態では、第一領域においては、第一直列コイル部２１を構成する同心巻部４０が第三直列コイル部２３を構成する同心巻部４０よりも径方向Ｒの外側に配置されているのに対し、第三領域においては、第一直列コイル部２１を構成する同心巻部４０が第三直列コイル部２３を構成する同心巻部４０よりも径方向Ｒの内側に配置されている。すなわち、第一領域においては、第一直列コイル部２１を構成する同心巻部４０は外側コイルセットの同心巻部４０であり、第三直列コイル部２３を構成する同心巻部４０は内側コイルセットの同心巻部４０であるのに対し、第三領域においては、第一直列コイル部２１を構成する同心巻部４０は内側コイルセットの同心巻部４０であり、第三直列コイル部２３を構成する同心巻部４０は外側コイルセットの同心巻部４０である。また、第四領域においては、第二直列コイル部２２を構成する同心巻部４０が第四直列コイル部２４を構成する同心巻部４０よりも径方向Ｒの外側に配置されているのに対し、第二領域においては、第二直列コイル部２２を構成する同心巻部４０が第四直列コイル部２４を構成する同心巻部４０よりも径方向Ｒの内側に配置されている。すなわち、第四領域においては、第二直列コイル部２２を構成する同心巻部４０は外側コイルセットの同心巻部４０であり、第四直列コイル部２４を構成する同心巻部４０は内側コイルセットの同心巻部４０であるのに対し、第二領域においては、第二直列コイル部２２を構成する同心巻部４０は内側コイルセットの同心巻部４０であり、第四直列コイル部２４を構成する同心巻部４０は外側コイルセットの同心巻部４０である。このような配置構成を採用することで、第一直列コイル部２１と第三直列コイル部２３との間での電磁気的なバランスの確保を図ると共に、第二直列コイル部２２と第四直列コイル部２４との間での電磁気的なバランスの確保を図ることができる。
【００３１】
図３では、煩雑さを避けるために、Ｖ相コイル２ＶやＷ相コイル２Ｗについては、第一コイル部５１、第二コイル部５２、第三コイル部５３、第四コイル部５４、第五コイル部５５、第六コイル部５６、第七コイル部５７、及び第八コイル部５８を表す符合や、第一直列コイル部２１、第二直列コイル部２２、第三直列コイル部２３、及び第四直列コイル部２４を表す符合を付していないが、周方向Ｃの配設位置が異なる点を除いて、Ｖ相コイル２ＶやＷ相コイル２Ｗは、Ｕ相コイル２Ｕと同様に構成されている。具体的には、Ｖ相コイル２Ｖが備える各同心巻部４０は、Ｕ相コイル２Ｕの対応する同心巻部４０に対して周第一方向Ｃ１側に同じ量（本実施形態では、スロットピッチの２６倍）だけずれた位置関係で配置されている。また、Ｗ相コイル２Ｗが備える各同心巻部４０は、Ｕ相コイル２Ｕの対応する同心巻部４０に対して周第一方向Ｃ１側に同じ量（本実施形態では、スロットピッチの５２倍）だけずれた位置関係で配置されている。すなわち、対応する同心巻部４０の周方向Ｃの配設位置に関して、Ｗ相コイル２ＷのＵ相コイル２Ｕに対する周第一方向Ｃ１側へのずれ量は、Ｖ相コイル２ＶのＵ相コイル２Ｕに対する周第一方向Ｃ１側へのずれ量の２倍に設定されている。なお、対応する同心巻部４０は、同一の種別の直列コイル部２０における同一の種別のコイル部を意味し、例えば、Ｖ相コイル２Ｖが備える第一直列コイル部２１の第一コイル部５１に対応するＵ相コイル２Ｕの同心巻部４０は、Ｕ相コイル２Ｕが備える第一直列コイル部２１の第一コイル部５１である。
【００３２】
ここで、直列コイル部２０が配置される複数のスロット１２のうちの最も接続端子９０側のコイル辺部６０が配置されるスロット１２を、対象スロット１２ａとする。対象スロット１２ａは、接続端子９０に接続可能なコイル辺部６０が配置される複数のスロット１２の中から設定される。対象スロット１２ａに巻回される同心巻部４０を、対象同心巻部４０ａとすると、本実施形態では、第一コイル部５１を構成する同心巻部４０が、対象同心巻部４０ａである。図３に示すように、対象同心巻部４０ａは、同相の他の対象同心巻部４０ａとの周方向Ｃの間に、対象同心巻部４０ａではない同相の同心巻部４０を含まないように配置されている。そして、対象同心巻部４０ａのそれぞれの周方向Ｃの配置領域は、他相の対象同心巻部４０ａの周方向Ｃの配置領域と重複する部分を有さないように設定されている。
【００３３】
本実施形態では、図２に示すように、直列コイル部２０のそれぞれは、複数のコイルユニット４を直列接続して構成される。コイルユニット４は、図５に示すように、連続する線状導体３を複数箇所で巻回して形成された複数の同心巻部４０を有する。ここで、線状導体３について連続とは、線状導体３を構成する導体線が、継ぎ目なく当該導体線の延在方向に一体に形成されていることを意味する。本実施形態では、直列コイル部２０のそれぞれは、４つの同心巻部４０を有するコイルユニット４を、２つ直列接続して構成されている。なお、図５は、ステータ１０の製造過程において、巻枠６に巻回された状態のコイルユニット４を示している。図５及び後に参照する図６では、理解を容易にすべく、コア１１に巻装された状態で同心巻部４０を構成する環状導体部に対して、同心巻部４０を表す符号を付している。本例では、コイルユニット４は、巻回方向が互いに逆方向の同心巻部４０を１つずつ交互に直列接続して構成されている。
【００３４】
そして、本実施形態では、コイルユニット４が備える複数のコイル辺部６０のうちの最も当該コイルユニット４の端部４ａ側に配置される２つのコイル辺部６０のそれぞれが、接続端子９０に接続可能なコイル辺部６０である。このように、接続端子９０に接続可能なコイル辺部６０を特定のコイル辺部６０に限定しているのは、同心巻部４０同士を接続する接続導線を切断することなく、コイル辺部６０を接続端子９０に接続することができ、製造工程の簡素化を図ることができるからである。本実施形態では、図３に示すように、接続端子９０に接続可能なコイル辺部６０が配置される複数のスロット１２の中から、各相につき２つの対象スロット１２ａが設定されている。なお、接続端子９０に接続可能なコイル辺部６０であって、接続端子９０に接続されないコイル辺部６０は、他のコイルユニット４のコイル辺部６０に接続され、或いは、中性点９１に接続される。
【００３５】
図３に示すように、複数相の対象スロット１２ａの配置パターンは、当該複数相の対象スロット１２ａの周方向Ｃにおける相の並び順が複数相のスロット１２の周方向Ｃにおける相の並び順と等しくなる複数の配置パターンの中で、周方向Ｃに隣接する互いに異なる相の対象同心巻部４０ａの周方向Ｃの間隔の分散が最も小さくなるパターンに設定されている。なお、分散は、各値と平均値との差分を２乗した値についての、算術平均（相加平均）である。本実施形態では、複数相のスロット１２の周方向Ｃにおける相の並び順は、Ｕ相を起点とすると、周第一方向Ｃ１側に向かって、Ｕ相、Ｖ相、Ｗ相の順である。これに対応して、本実施形態では、図３に示すように、複数相の対象スロット１２ａの周方向Ｃにおける相の並び順も、Ｕ相を起点として、周第一方向Ｃ１側に向かって、Ｕ相、Ｖ相、Ｗ相の順に設定されている。
【００３６】
また、本実施形態では、周方向Ｃに隣接する互いに異なる相の対象同心巻部４０ａの周方向Ｃの間隔を、各相の対象同心巻部４０ａの周方向Ｃの配置領域の中心位置同士の間隔としている。本実施形態では、１つの相コイル２には、周方向Ｃの隣接する位置に配置される複数の対象同心巻部４０ａが備えられているため、対象同心巻部４０ａの周方向Ｃの配置領域の中心位置は、当該複数の対象同心巻部４０ａが配置される周方向Ｃの領域の中心位置である。よって、本実施形態では、周方向Ｃに隣接する互いに異なる相の対象同心巻部４０ａの周方向Ｃの間隔は、図３に示すように、第一間隔Ｄ１、第二間隔Ｄ２、及び第三間隔Ｄ３で表され、第一間隔Ｄ１と第二間隔Ｄ２と第三間隔Ｄ３との平均値は、１２０度となる。そのため、本実施形態では、周方向Ｃに隣接する互いに異なる相の対象同心巻部４０ａの周方向Ｃの間隔の分散は、（Ｄ１−１２０）の２乗と、（Ｄ２−１２０）の２乗と、（Ｄ３−１２０）の２乗との和を、“３”で除算した値となる。なお、本実施形態では、周方向Ｃに隣接するＵ相及びＶ相のそれぞれの対象同心巻部４０ａの周方向Ｃの間隔である第一間隔Ｄ１と、周方向Ｃに隣接するＶ相及びＷ相のそれぞれの対象同心巻部４０ａの周方向Ｃの間隔である第二間隔Ｄ２とは、互いに等しい角度に設定されており、具体的には、９０度にスロットピッチの２倍を加算した角度である９７．５度に設定されている。また、図３に示す例では、各相の対象同心巻部４０ａの周方向Ｃの配置領域の中心位置は、各相の対象スロット１２ａ（本例では、２つの対象スロット１２ａ）の周方向Ｃの配置領域の中心位置と一致する。
【００３７】
ところで、上記のように、本実施形態では、コイルユニット４が備える複数のコイル辺部６０のうちの最も当該コイルユニット４の端部４ａ側に配置される２つのコイル辺部６０のそれぞれが、接続端子９０に接続可能なコイル辺部６０である。そして、本実施形態では、各相のコイルユニット４は、予め定められた周方向Ｃの位置関係でコア１１に配置される。そのため、本実施形態では、複数相の対象スロット１２ａの周方向Ｃにおける相の並び順が複数相のスロット１２の周方向Ｃにおける相の並び順と等しくなる複数相の対象スロット１２ａの配置パターンの中で、周方向Ｃに隣接する互いに異なる相の対象同心巻部４０ａの周方向Ｃの間隔の分散が最も小さくなるパターンは、図３に示すパターンに特定される。このように、本実施形態では、各相のコイルユニット４が予め定められた周方向Ｃの位置関係でコア１１に配置される理由について、以下説明する。
【００３８】
本実施形態では、図４に示すように、周方向Ｃの同じ領域に配置される複数相のコイルユニット４の群であるコイルユニット群５を、コア１１に配置する前の準備としてコイル保持器７０に配置される際の配置単位としている。コイル保持器７０は、図６に一例を示すように、棒状部材であるブレード７１を複数備えている。なお、以下では、コイル保持器７０がコア１１と同軸に配置された状態を想定して、コイル保持器７０についても軸方向Ｌ、周方向Ｃ、及び径方向Ｒの各方向を用いて説明する。図６では、一部のブレード７１のみを示しているが、本例では、コア１１のティース１３と同数のブレード７１が、スロットピッチと同一のピッチで、周方向Ｃに分散配置されている。そして、隣接するブレード７１の間のそれぞれに、軸第一方向Ｌ１側の端部が開放された挿入隙間７２が形成される。
【００３９】
図６に示すように、各同心巻部４０は、挿入隙間７２の周方向Ｃの配設ピッチの５倍だけ離れた２つの挿入隙間７２のそれぞれに当該同心巻部４０の挿入部分が挿入されるように、コイル保持器７０に対して軸第一方向Ｌ１側から配置される。この際、渦巻状のコイルエンド部６２（図１、図３参照）の形状に対応するように、Ｕ相コイル２Ｕの同心巻部４０、Ｖ相コイル２Ｖの同心巻部４０、及びＷ相コイル２Ｗの同心巻部４０が、挿入隙間７２の配設ピッチの２倍の間隔で、周方向Ｃに沿って順に配置される。すなわち、各相の同心巻部４０は、傾斜した状態で互いに重なり合うようにコイル保持器７０に対して配置される。図６では、一部の同心巻部４０のみを示しているが、Ｕ相コイル２Ｕの同心巻部４０、Ｖ相コイル２Ｖの同心巻部４０、及びＷ相コイル２Ｗの同心巻部４０が、周方向Ｃの全域に亘って、挿入隙間７２の配設ピッチの２倍の間隔で１つずつ繰り返し配置される。
【００４０】
各相についての１つのコイルセットを構成する全ての同心巻部４０がコイル保持器７０に保持された状態で、ティース１３がブレード７１に対して径方向Ｒに対向するようにコア１１を配置する。そして、コイル押出器（図示せず）を用いてコイル保持器７０に保持された状態の各同心巻部４０を軸第一方向Ｌ１側に押し上げると共に径方向Ｒの外側に押し出すことで、各同心巻部４０の一部がスロット１２に挿入されて、各相コイル２がコア１１に巻装される。この際、三相分の相コイル２がまとめてコア１１に巻装される。本実施形態では、各相の相コイル２は２つのコイルセット（外側コイルセット及び内側コイルセット）を備えるため、上記の各工程を２回繰り返すことで、各相についての外側コイルセットを構成する全ての同心巻部４０をコア１１に巻装した後に、各相についての内側コイルセットを構成する全ての同心巻部４０がコア１１に巻装される。このように、本実施形態では、コイル１はインサート法によりコア１１に巻装される。
【００４１】
上記のように、本実施形態では、Ｕ相コイル２Ｕの同心巻部４０、Ｖ相コイル２Ｖの同心巻部４０、及びＷ相コイル２Ｗの同心巻部４０のそれぞれが、傾斜した状態で互いに重なり合うようにコイル保持器７０に対して配置される。これに対応して、本実施形態では、周方向Ｃの同じ領域に配置される複数相のコイルユニット４の群であるコイルユニット群５（図４参照）を、コア１１に配置する前の準備としてコイル保持器７０に配置される際の配置単位としている。これにより、例えば挿入隙間７２に既に挿入されている挿入部分を挿入隙間７２から抜き出すこと等の、コイル保持器７０に対する各相コイル２の配置工程の複雑化を招き得る作業の必要性を最小限に抑えることができる。
【００４２】
以上の理由から、本実施形態では、周方向Ｃの同じ領域に配置される複数相のコイルユニット４の群であるコイルユニット群５を、コア１１に配置する前の準備としてコイル保持器７０に配置される際の配置単位としている。そして、本実施形態では、各相コイル２についての周方向Ｃに分散配置される同心巻部４０の個数であるＮが“１６”であるのに対し、１つのコイルユニット４が備える同心巻部４０の個数は“４”である。すなわち、本実施形態では、１つのコイルユニット４が備える同心巻部４０の個数は、Ｎを“４”で除算した値に設定されている。そのため、本実施形態では、４つのコイルユニット群５を周方向Ｃに並べて配置することで、各相についての１つのコイルセットを構成する全ての同心巻部４０がコイル保持器７０に配置される。このように、本実施形態では、各相の１つのコイルセットは、周方向Ｃに並べて配置される４つのコイルユニット４により構成される。そのため、接続端子９０に接続可能なコイル辺部６０は、周方向Ｃの８箇所に分かれて配置される。そして、本実施形態では、接続端子９０に接続可能な８つのコイル辺部６０のうちの、周方向Ｃに隣接する２つのコイル辺部６０のそれぞれに対して、接続端子９０が接続される。
【００４３】
上記のように、複数相の対象スロット１２ａの配置パターンを、当該複数相の対象スロット１２ａの周方向Ｃにおける相の並び順が複数相のスロット１２の周方向Ｃにおける相の並び順と等しくなる複数の配置パターンの中で、周方向Ｃに隣接する互いに異なる相の対象同心巻部４０ａの周方向Ｃの間隔の分散が最も小さくなるパターン、すなわち、図３に示すパターンに設定することで、互いに異なる２つの相コイル２同士がコイルエンド部６２において接触或いは近接して配置される部分における当該相コイル２同士の最大電位差を小さく抑えることができる。この理由について、本実施形態に係る図４と、比較例である図７とを参照して説明する。なお、図７は、本発明を適用しない場合の比較例を示す図であり、この比較例では、本発明とは異なり、複数相の対象スロット１２ａの配置パターンが、当該複数相の対象スロット１２ａの周方向Ｃにおける相の並び順が複数相のスロット１２の周方向Ｃにおける相の並び順と等しくならない（すなわち逆順となる）パターンに設定されている。すなわち、図７に示す構成では、複数相の対象スロット１２ａの周方向Ｃにおける相の並び順が、Ｕ相を起点として、周第一方向Ｃ１側に向かって、Ｕ相、Ｗ相、Ｖ相の順に設定されている。図７に示す構成では、Ｕ相コイル２ＵやＷ相コイル２Ｗについては本実施形態と同様に構成され、Ｖ相コイル２Ｖの構成（周方向Ｃの配設位置）のみが本実施形態とは異なっている。なお、図７に示す構成は、本発明の実施例ではないが、理解を容易にすべく、図３及び図４等と同様の符号を付している。
【００４４】
図４は、図３における外側コイルセットの１つのコイルユニット群５のみを示す図である。図４に示すように、本実施形態では、Ｕ相コイル２Ｕが備える第一直列コイル部２１の第一コイル部５１は、Ｖ相コイル２Ｖが備える第二直列コイル部２２の第四コイル部５４に対して、周方向Ｃの配置領域が重複するように配置される。また、Ｖ相コイル２Ｖが備える第二直列コイル部２２の第一コイル部５１は、Ｕ相コイル２Ｕが備える第一直列コイル部２１の第四コイル部５４に対して、周方向Ｃの配置領域が重複するように配置される。これに対し、図７に示す比較例では、Ｕ相コイル２Ｕが備える第二直列コイル部２２の第一コイル部５１は、Ｖ相コイル２Ｖが備える第一直列コイル部２１の第四コイル部５４に加えて第三コイル部５３に対して、周方向Ｃの配置領域が重複するように配置される。また、Ｖ相コイル２Ｖが備える第一直列コイル部２１の第一コイル部５１は、Ｕ相コイル２Ｕが備える第二直列コイル部２２の第四コイル部５４に加えて第三コイル部５３に対して、周方向Ｃの配置領域が重複するように配置される。
【００４５】
以上のように、本実施形態では、Ｕ相コイル２Ｕの第一コイル部５１やＶ相コイル２Ｖの第一コイル部５１が、他相の第四コイル部５４やそれより中性点９１側の同心巻部４０に対してのみ周方向Ｃの配置領域が重複するように配置される。説明は省略するが、Ｗ相コイル２Ｗの第一コイル部５１についても同様である。これに対し、図７に示す比較例では、Ｕ相コイル２Ｕの第一コイル部５１やＶ相コイル２Ｖの第一コイル部５１が、他相の第三コイル部５３に対しても周方向Ｃの配置領域が重複するように配置される。説明は省略するが、Ｗ相コイル２Ｗの第一コイル部５１についても同様である。なお、図示は省略するが、別の比較例として、複数相の対象スロット１２ａの配置パターンを、当該複数相の対象スロット１２ａの周方向Ｃにおける相の並び順が複数相のスロット１２の周方向Ｃにおける相の並び順と等しくなる配置パターンの中で、周方向Ｃに隣接する互いに異なる相の対象同心巻部４０ａの周方向Ｃの間隔の分散が最も小さくならないパターンに設定される構成も考えられる。この場合、図７に示されるＷ相コイル２Ｗの第五コイル部５５、第六コイル部５６、第七コイル部５７、及び第八コイル部５８が、Ｗ相コイル２Ｗの第一コイル部５１、第二コイル部５２、第三コイル部５３、及び第四コイル部５４にそれぞれ置き換わった構成となる。そして、この別の比較例では、Ｖ相コイル２Ｖの第一コイル部５１は、他相の第四コイル部５４やそれより中性点９１側の同心巻部４０に対してのみ周方向Ｃの配置領域が重複するように配置されるものの、Ｕ相コイル２Ｕの第一コイル部５１やＷ相コイル２Ｗの第一コイル部５１は、他相の第三コイル部５３に対しても周方向Ｃの配置領域が重複するように配置される。
【００４６】
ここで、第一コイル部５１は、直列コイル部２０における最も接続端子９０側の同心巻部４０（対象同心巻部４０ａ）であるため、互いに異なる相の相コイル２同士がコイルエンド部６２において接触或いは近接して配置される部分における当該相コイル２同士の最大電位差を小さく抑えるためには、第一コイル部５１に対して周方向Ｃの配置領域が重複する同心巻部４０を、中性点９１にできるだけ近い同心巻部４０とする必要がある。この点に関して、本実施形態では、各相コイル２の第一コイル部５１を、他相の第三コイル部５３及びそれより接続端子９０側の同心巻部４０に対して周方向Ｃの配置領域が重複しないように配置することができるため、図７に示す比較例や上記の別の比較例に比べて、上記の最大電位差を小さく抑えることができる。この結果、例えば、相間絶縁部材に要求される絶縁性能を低下させることや、相間絶縁部材を備えることなしに線状導体３を構成する導体線の表面に形成された絶縁皮膜のみで各相の相コイル２間の電気的絶縁性を確保することが可能となり、ステータ１０の製造コストの低減やコイルエンド部６２の小型化を図ることができる。なお、相間絶縁部材は、電気的絶縁性を有する部材で形成される部材（例えば、シート状部材）であり、互いに異なる相の相コイル２の間での電気的絶縁性を確保するために用いられる。
【００４７】
３．その他の実施形態
最後に、本発明に係る回転電機用コイルの、その他の実施形態について説明する。なお、以下のそれぞれの実施形態で開示される構成は、矛盾が生じない限り、他の実施形態で開示される構成と組み合わせて適用することも可能である。
【００４８】
（１）上記の実施形態では、毎相あたりの磁極数が“１６”であり、コア１１に合計で９６個のスロット１２が配置されている場合を例として説明した。しかし、本発明の実施形態はこれに限定されない。例えば、図８に示す例のように、毎相あたりの磁極数が“８”であり、コア１１に合計で４８個のスロット１２が形成されている構成や、図９に示す例のように、毎相あたりの磁極数が“１２”であり、コア１１に合計で７２個のスロット１２が形成されている構成とすることもできる。図８や図９に示す例では、上記の実施形態と同様に、１つのコイルユニット４が備える同心巻部４０の個数は、毎相あたりの磁極数を表すＮを“４”で除算した値に設定されている。すなわち、図８及び図９のそれぞれにおいて１つのコイルユニット群５を破線で囲んで示すように、図８に示す例では、１つのコイルユニット４が備える同心巻部４０の個数は“２”であり、図９に示す例では、１つのコイルユニット４が備える同心巻部４０の個数は“３”である。詳細な説明は省略するが、図８や図９に示す例でも、複数相の対象スロット１２ａの配置パターンは、当該複数相の対象スロット１２ａの周方向Ｃにおける相の並び順が複数相のスロット１２の周方向Ｃにおける相の並び順と等しくなる複数の配置パターンの中で、周方向Ｃに隣接する互いに異なる相の対象同心巻部４０ａの周方向Ｃの間隔の分散が最も小さくなるパターンに設定されている。そして、図８や図９に示す例でも、上記の実施形態と同様に、第一間隔Ｄ１及び第二間隔Ｄ２は、９０度にスロットピッチの２倍を加算した角度（図８に示す例では１０５度、図９に示す例では１００度）に設定されている。
【００４９】
（２）上記の実施形態では、相コイル２のそれぞれが、径方向Ｒの互いに異なる領域に配置される複数のコイルセットを備える場合を例として説明した。しかし、本発明の実施形態はこれに限定されず、上記の図８や図９に示す例のように、相コイル２のそれぞれが、単数のコイルセットを備える構成とすることもできる。
【００５０】
（３）上記の実施形態では、相コイル２のそれぞれが、複数の直列コイル部２０を備える場合を例として説明した。しかし、本発明の実施形態はこれに限定されず、相コイル２のそれぞれが、単数の直列コイル部２０を備える構成とすることもできる。この場合、対象同心巻部４０ａには、同相の他の対象同心巻部４０ａは存在しない。また、この場合、各相につき１つの対象スロット１２ａが設定される。
【００５１】
（４）上記の実施形態では、周方向Ｃの同じ領域に配置される複数相のコイルユニット４の群であるコイルユニット群５が、コア１１に配置する前の準備としてコイル保持器７０に配置される際の配置単位である場合を例として説明した。しかし、本発明の実施形態はこれに限定されず、ステータ１０の製造方法によっては、周方向Ｃの同じ領域に配置される複数相のコイルユニット４が、コア１１に配置される際の配置単位、言い換えれば、スロット１２に挿入される際の挿入単位である構成とすることも可能である。
【００５２】
（５）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００５３】
本発明は、周方向に沿って各相用のスロットが同数ずつ繰り返し形成されたコアに巻装されると共に、周方向に分散配置されたＮ個（Ｎは４の正の倍数を表す）の同心巻部を備えた複数相の相コイルが、スター結線されて構成される回転電機用コイルに利用することができる。
【符号の説明】
【００５４】
１：コイル（回転電機用コイル）
２：相コイル
３：線状導体
４：コイルユニット
４ａ：端部
１１：コア
１２：スロット
１２ａ：対象スロット
２０：直列コイル部
４０：同心巻部
４０ａ：対象同心巻部
６０：コイル辺部
６１：渡り部
７０：コイル保持器
９０：接続端子
９１：中性点
Ｃ：周方向
Ｌ：軸方向
Ｒ：径方向
Ｓ：コア基準面
【図１】
2015177725.tif 000003
【図２】
2015177725.tif 000004
【図３】
2015177725.tif 000005
【図４】
2015177725.tif 000006
【図５】
2015177725.tif 000007
【図６】
2015177725.tif 000008
【図７】
2015177725.tif 000009
【図８】
2015177725.tif 000010
【図９】
2015177725.tif 000011